(57)【要約】      （修正有）【課題】使用済のＰＥＴボトル用キャップを有効的に活用し、簡単な操作によりキャップアート作品を創作できるキャップアート創作装置を提供する。【解決手段】所望の大きさの略四角形のパネル２０を有して構成されたアート作品表現部２を備える。作品表現部２はパネル２０の一方の面の略全域を利用して隣接させる各キャップ同士の外周面を略接触させて配置させ得るように、マトリックス状に印刷して表記され、キャップ１の配置位置を指標する指標用マーク２１と、一方の面に、指標用マーク２１を透視可能に施された透明性の粘着剤層とを備える。指標用マーク２１を指標として、キャップ１を一方の面に並べて剥離可能に接着して絵画等を表現してアート作品を創作する。【選択図】図１
0003189757.tif 000002
【実用新案登録請求の範囲】
【請求項１】
使用済のＰＥＴボトル用キャップを所望数使用して所望の絵画や図形或いは模様その他の形象を表現して作成したアート作品を創作するキャップアート創作装置であって、
所望の大きさの略四角形に形成され、前記キャップを並べて配置するパネルを有して構成されたアート作品表現部を備え、
前記アート作品表現部は、
前記パネルの一方の面に、当該一方の面の略全域を利用して隣接させる各キャップ同士の外周面を略接触させて配置させ得るように配分してマトリックス状に印刷その他の手段で表記され、前記キャップを配置する位置の指標とする指標用マークと、
前記パネルの前記一方の面の略全域に、前記指標用マークを透視可能に施された透明性の粘着剤層とを備え、
前記マークを指標として、前記キャップを、その天板部を正面側に向けて、前記パネルの前記一方の面に並べて剥離可能に接着してアート作品を創作するように構成した
ことを特徴とするキャップアート創作装置。
【請求項２】
前記アート作品創作部は、前記パネルの所望の部位に設けた壁掛け用手段を備えていることを特徴とする請求項１に記載のキャップアート創作装置。
【請求項３】
前記アート作品創作部は、前記パネルの所望の部位に設けた立掛け用のスタンドを備えていることを特徴とする請求項１又は２に記載のキャップアート創作装置。
【請求項４】
前記指標用マークは所望の大きさの円形の図形で形成されていることを特徴とする請求項１に記載のキャップアート創作装置。
【考案の詳細な説明】
【技術分野】
【０００１】
本考案は、使用済のＰＥＴボトル用キャップを再利用してアート作品を創作するキャップアート創作装置に関する。さらに詳しくは、所望数の前記キャップを使用して、所望の絵画や模様その他の形象を表現して作成したアート作品を創作するキャップアート創作装置に関する。
【背景技術】
【０００２】
ＰＥＴ（ポリエチレンテフタレート）ボトルは、飲料水や茶類、その他各種の清涼飲料等の容器として使用され、今や我が国だけでも億単位で毎年生産されている。ＰＥＴボトル用キャップは、一般に略同一寸法に形成されている。また、前記キャップは、白色，赤色，黒色，青色系（ライトブルーやダークブルー等），黄色，グリーン系，ピンク系その他の多種類（例えば、約１０〜１５種類程度）に着色されたものが一般に使用されている。
【０００３】
従来、使用済ＰＥＴボトル及びキャップは可燃ゴミとして廃棄され、焼却処分されていたが、焼却処分によると、資源の無駄遣い及び環境汚染の問題を有していた。そのため、近年においては、リサイクル（再生利用）による処理方法が推奨され、実施されている。
【０００４】
例えば、特開２００３−２９１１４４号公報、特開２００１−３８７３０号公報、特開２０１１−６５２１号公報、特開２００２−１６７４７３号公報には、使用済ＰＥＴボトル又は／及びキャップを再利用して再生製品を製造する技術（再生技術）が開示されている。
【０００５】
しかし、前記再生技術によれば資源の節減に貢献できるが、生産コストが高くなる問題が生じると共に環境汚染の問題は残されている。
【０００６】
また、使用済のＰＥＴボトルの再生利用については、可成り実施されているが、キャップの再生利用については、ＰＥＴボトルに比べて普及するまでには至っていない。そのため、使用済のＰＥＴボトル用キャップを有効的に活用して再利用し得る技術の開発が望まれている。
【０００７】
そこで、本考案者は上記事実に着目し、実用新案登録第３１８６９６７号に記載のキャップアート創作装置（先行技術）を提案した。
【０００８】
先行技術は、使用済のＰＥＴボトル用キャップを所望数使用して所望の絵画その他のアート作品を創作するキャップアート創作装置である。この装置は、所望の大きさの略四角形の薄形ケース状に形成したアート作品表現部を備える。前記表現部は、キャップを前後方向に向けて挿入可能なキャップ収容部を形成して対設した前壁部及び後壁部と、左右の側壁部及び底壁部とを備えると共に上端に開口部を備え、かつ、前壁部は透明な板材で構成され、開口部から収容部へ所望色のキャップを所望数挿入して絵画等を表現してアート作品を創作するように構成したものである。
【先行技術文献】
【特許文献】
【０００９】
【特許文献１】実用新案登録第３１８６９６７号公報
【考案の概要】
【考案が解決しようとする課題】
【００１０】
先行技術によれば、使用済のＰＥＴボトル用キャップを有効的に活用して再利用し得る技術を提供することができる。
【００１１】
しかし、先行技術においても改良を加えるべき余地が残されている。即ち、先行技術は、上端開口部からキャップを収容部内に挿入して所望の絵画等を表現してアート作品を創作するように構成したものである。即ち、開口部からキャップを収容部内に落とし入れる等により挿入して絵画等を創作するように構成したものであるため、アート作品を完成する技術をマスターするためには、可成りの訓練を要求される。
【００１２】
上記の場合において、上述した技術をマスターすること自体は技術を身に付ける上で有効的である。しかるに、一方において、上述した先行技術のようにキャップを収容部内に挿入してアート作品を完成する技術をマスター（習得）することなく、簡単な操作によりキャップを使用して所望の絵画等を表現可能なキャップアート創作装置も存在すれば、更に好ましい。
【００１３】
本考案は上記のような事情に鑑みてなされたもので、上述したような技術の習得（マスター）を必要とすることなく、簡単な操作により、使用済のＰＥＴボトル用キャップを有効的に活用して再利用し、キャップアート作品を創作し得るキャップアート創作装置を提供することを目的とするものである。
【課題を解決するための手段】
【００１４】
上記目的を達成するため、本考案のうち、１つの考案（第１の考案）は、使用済のＰＥＴボトル用キャップを所望数使用して所望の絵画や図形或いは模様その他の形象を表現して作成したアート作品を創作するキャップアート創作装置であって、
所望の大きさの略四角形に形成され、前記キャップを並べて配置するパネルを有して構成されたアート作品表現部を備え、
前記アート作品表現部は、前記パネルの一方の面に、当該一方の面の略全域を利用して隣接させる各キャップ同士の外周面を略接触させて配置させ得るように配分してマトリックス状に印刷その他の手段で表記され、前記キャップを配置する位置の指標とする指標用マークと、前記パネルの前記一方の面の略全域に、前記指標用マークを透視可能に施された透明性の粘着剤層とを備え、
前記マークを指標として、前記キャップを、その天板部を正面側に向けて、前記パネルの前記一方の面に並べて剥離可能に接着してアート作品を創作するように構成したことを特徴とする。
【００１５】
本考案の他の１つの考案（第２の考案）は、第１の考案のキャップアート創作装置において、前記アート作品創作部は、前記パネルの所望の部位に設けた壁掛け用手段を備えていることを特徴とする。
【００１６】
本考案のさらに他の１つの考案（第３の考案）は、第１又は第２の考案のキャップアート創作装置において、前記アート作品創作部は、前記パネルの所望の部位に設けた立掛け用のスタンドを備えていることを特徴とするものである。
【００１７】
本考案のさらに他の１つの考案（第４の考案）は、第１の考案のキャップアート創作装置において、前記指標用マークは所望の大きさの円形の図形で形成されていることを特徴とする。
【００１８】
なお、本考案の第１ないし第４の考案のキャップアート創作装置は、前記パネルの前記一方の面に施された粘着剤層の表面に剥離フィルムを添着して前記粘着剤層を前記剥離フィルムで被覆し、この状態で保管、出荷及び販売等に供するものである。
【考案の効果】
【００１９】
本考案によれば次のような作用効果を奏する。
（１）使用済のＰＥＴボトル用キャップを原形の状態で再利用して絵画その他のアート作品を創作するので、資源の節減に貢献できると共に前記キャップの再生処理による環境汚染の問題の解消に貢献し得るリサイクル技術を提供することができる。
（２）指標用マークを指標として、所望のマークの位置に所望色の前記キャップを並べて剥離可能に接着することにより、前記パネルの前記一方の面に所望の絵画その他のアート作品を表現して創作することができる。したがって、キャップを使用して簡単な操作によりキャップアート作品を創作することができる。
（３）装置の構成が簡素化されているので、装置の生産コストを安くすることができる。
（４）本考案装置は学校教育等における教材としても使用することができる。
（５）第２の考案によれば、上記諸効果に加え、前記装置を壁掛用装置品として利用できる。
（６）第３の考案によれば、上記諸効果に加え、前記装置を室内装置品として利用できる。
【図面の簡単な説明】
【００２０】
【図１】図１（ａ）は本考案の一実施の形態のキャップアート創作装置の構成を概略的に示す説明正面図、図１（ｂ）は一部の使用済のＰＥＴボトルキャップを例示的に示す説明図である。なお、前記装置とキャップは縮尺率を変えて開示されている。
【図２】図２（ａ）は前記キャップアート装置の構成を概略的に示す説明側面図、図２（ｂ）は前記装置の一部を拡大し、その構成を概略的に示す説明縦断面図である。
【図３】一部の使用済のＰＥＴボトル用キャップを例示的、かつ、その構成を概略的に示す説明図であって、同図（ａ−１）は白色キャップの説明平面図、同図（ａ−２）は同じく説明斜視図、同図（ａ−３）は同じく説明縦断面図、同図（ｂ）は黒色キャップ、同図（ｃ）は赤色キャップ、同図（ｄ）はライトブルーキャップ、同図（ｅ）はダークブルーキャップ、同図（ｆ）はグリーンキャップ、同図（ｇ）は黄色キャップを示す説明平面図である。
【図４】前記キャップを使用してアート作品を作成する状態の一部を示す説明正面図である。
【図５】同じく説明側面図である。
【図６】前記キャップを使用してアート作品を創作した一例を示す説明図である。
【図７】前記キャップを使用してアート作品を創作した他の例を示す説明図である。
【考案を実施するための形態】
【００２１】
以下、図面を参照して本考案のキャップアート創作装置の実施形態の一例について説明する。
【００２２】
図１ないし図７は、本考案の一実施形態のキャップアート創作装置を示す。
【００２３】
実施形態のキャップアート創作装置１００は、使用済のＰＥＴボトル用キャップ１を所望数使用して、所望の絵画や図形或いは模様その他の形象を表現して作成したアート作品を創作するキャップアート創作装置である。
【００２４】
ＰＥＴボトル用キャップ１は、後端を開口したネジ筒部１０と、ネジ筒部１０の先端を閉塞した天板部１１とを一体成形してなっている（図１（ｂ）、図３参照）。前記キャップ１は、一般に直径（外径）：約３０ｍｍ、高さ（筒部１０の長さ）：約１４ｍｍに形成されている。なお、大多数のキャップ１は上記寸法に形成されているが、寸法が若干相違するものもある。
【００２５】
図１ないし図７に示すように、実施形態のキャップアート創作装置１００は、アート作品表現部２を備える。
【００２６】
アート作品表現部２は、所望の大きさ略四角形状に形成され、キャップ１を並べて配置するパネル２０と、パネル２０の一方の面に印刷その他の手段で表記した指標用マーク２１…２１と、パネル２０の前記一方の面に施した粘着剤層２２（図２、図５等参照）とを備えて構成されている。
【００２７】
パネル２０の大きさは特に限定するものではなく、所望の大きさに形成できるものであるが、例えば高さ(縦巾)：約２５０〜４００ｍｍ、横巾：約３５０〜５００ｍｍ程度の範囲を挙げることができる。
なお、パネル２０の大きさは上記範囲内に限定されるものではなく、例えば用途等により、例えば高さ(縦巾)：約１０００〜約３０００ｍｍ、横巾：約２０００〜約５０００ｍｍ程度等、任意の寸法に形成可能なものである。
【００２８】
本実施形態の装置１００のパネル２０は、高さ(縦巾)：約３８０ｍｍ、横巾：約４１０ｍｍの横長の長方形状に形成されている。なお、この場合、パネル２０は、略正方形状、或は縦長形状に形成することも可能である。なお、パネル２０の一方の面（正面側）は、グレー系その他所望の色で着色することができる。
【００２９】
前記パネル２０の肉厚も特に限定するものではなく、パネル２０の大きさ等に応じて所望の肉厚に形成できるものであるが、例えば約３〜８ｍｍ程度の範囲を挙げることができる。本実施形態のパネル２０の肉厚は約５ｍｍに形成されている。
【００３０】
パネル２０を構成する素材は特に限定するものではなく、所望の素材を採用できるものであるが、例えばプラスチック，木材，厚紙，或は発泡樹脂材等を挙げることができる。発泡樹脂材を採用する場合には、例えば適当な硬質及び適度の弾力性を有する低発泡樹脂材で構成することが好ましい。パネル２０に適度の弾性力を付与させることにより、キャップ１のパネル２０への接着作業が円滑かつ容易になる。
【００３１】
本実施形態のパネル２０は、図２（ｂ）に示すように、低発泡樹脂材で形成したパネル本体２０ａの両面(表裏面)に合成紙その他の印刷可能な表装紙２０ｂ，２０ｃを接着して一体的に形成して構成されている。そして、指標用マーク２１は正面側の表装紙２０ｂに印刷等により表記されている。
【００３２】
なお、前記表装紙２０ｂ，２０ｃは、パネル本体２０ａの一方の面（正面側の面）にだけ接着し、他方の面は省略することもできる。また、上述したように、パネル２０の構成素材は本実施形態以外の素材を採用できるものである。
【００３３】
前記各指標用マーク２１は、前記パネル２０の一方の面（正面側の面）の略全域を利用して、隣接させる各キャップ１同士の外周面を略接触させて配置させ得るように配分してマトリック状に印刷その他の手段で表記されている。本実施形態の前記マーク２１は、図１（ａ）及び図４に示すように、所望の大きさ（キャップ１の直径より幾分小径）の円形の図形で形成されている。
【００３４】
また、本実施形態の前記各マーク２１（円形の図形）は、上述したように、各キャップ同士の外周面を互に略接触させて配置させ得るように配分して等間で表記されている。各キャップ１は前記マーク２１を指標として、前記パネル２０の一方の面に並べて剥離可能に接着して絵画等の形象を表現してアート作品を創作する。
【００３５】
アート作品表現部２は、パネル２０の前記一方の面（マーク２１を表記した面）の略全域に、前記マーク２１を透視可能に施された透明性の粘着剤層２２を備える。粘着剤層２２は、例えば粘着剤をパネル２０の前記一方の面の略全域に塗布して施し、或はフィルム状の両面粘着フィルムを接着する等により施す。
【００３６】
なお、本考案のキャップアート創作装置は、アート作品表現部２のパネル２０の一方の面に施され粘着剤層２２の表面に、図２に示すように、剥離フィルム２３（剥離紙）を添着して粘着剤層２２を被覆し、この状態で保管、出荷及び販売等に供する。そして、ユーザーは所要時に剥離フィルムを剥離して使用される。
【００３７】
本実施形態のアート作品表現部２は、前記パネル２０の所望の部位に設けた壁掛用手段３を備える。本実施形態では、パネル２０の両側端部近くの上端部に所望の大きさの吊下げ用の孔３０，３０を設け、この両孔３０により壁掛用手段３を構成してある。そして、両孔３０を利用して紐や取付器具（いずれも図示せず)で前記装置１００を壁等に掛け得るように構成してある。これによりアート作品を創作した前記装置１００を壁掛用装置品として保有することができる。
【００３８】
また、本実施形態の前記アート作品表現部２は、パネル２０の所望の部位に設けた立掛け用のスタンド４を備える。本実施形態では、図２（ａ）に示すように、パネル２０の裏面における所望の部位に設けた折り畳み可能な立掛け用のスタンド４を備えた例が開示されている。これにより、アート作品を創作した前記装置１００を室内装置品として飾り置き用に利用することができる。
【００３９】
本実施形態のキャップアート創作装置１００は上記構成を具備し、所望色の使用済のＰＥＴボトル用キャップ１を所望数使用して所望の絵画その他の所望のアート作品を創作するものである。
【００４０】
次に使用済のＰＥＴボトル用キャップ１について説明する。前記キャップ１の一例を図３に示す。図３には、白色キャップ１ａ，黒色キャップ１ｂ，赤色キャップ１ｃ，ライトブルーキャップ１ｄ，ダークブルーキャップ１ｅ，緑色（グリーン）キャップ１ｆ、及び黄色キャップ１ｇがそれぞれ各１個宛てづつ開示されている。なお、上記以外にピンク系や灰色系その他の所望色のキャップも使用される。各キャップ１ａ…１ｇ及びその他の任意色のキャップは所望数（例えば各キャップ毎に約５０〜２００個程度）用意する。各キャップは天板部１１側を正面側に向けてパネル２０に配置される。
【００４１】
本実施形態の前記装置１００は上記のように構成し、使用する際に剥離フィルム２３をパネルから剥離する。そして、前記マーク２１を指標（目印）として、前記キャップ１を図４及び図５に示すように、その天板部１１を正面側に向けてパネルの前記一方の面（粘着剤層の面）に並べると共に押し付けて剥離可能に接着して所望の絵画その他の形象を表現して所望のアート作品を創作するものである。
【００４２】
次に前記キャップを使用したアート作品を創作した一例について説明する。
【００４３】
図６は、アート作品として、富士山の絵画を創作した例を示すものである。このアート作品は、２９個の白色キャップ１ａ、６１個の緑色キャップ１ｆ、２１個のライトブルーキャップ１ｄ、２２個のダークブルーキャップ１ｅ、及び４個の赤色キャップ１ｃの５色のキャップを使用して富士山の絵を表現したアート作品Ａを創作した一例を示すものである。
【００４４】
図７は、アート作品として、パンダの絵画を創作した例を示すものである。この、アート作品は、７９個の白色キャップ１ａ、２５個の黒色キャップ１ｂ、３６個のライトブルーキャップ１ｄ、及び１個の赤色キャップ１ｃの４色のキャップを使用してパンダの絵を表現したアート作品Ｂを創作した一例を示すものである。
【００４５】
なお、本実施形態のキャップアート創作装置１００は、アート作品表現部２のパネル２０として、横長のパネルを採用した例を開示したが、縦長のパネルを採用して構成することもできる。これにより、縦長に表現したアート作品を創作することができる。このように、前記表現部２のパネルとして、縦長のパネルを採用する場合には、壁掛け用手段及び立掛け用のスタンドは、前記表現部の構成に対応して設ける。
【００４６】
また、上記した実施形態は一例として開示したもので、本考案は上記の実施形態に限定されるものではなく、実用新案登録請求の範囲に記載の技術思想を越脱しない範囲内において任意に変更可能なものである。
【符号の説明】
【００４７】
１        使用済のＰＥＴボトル用キャップ
２        アート作品表現部
３        壁掛け用手段
４        立掛け用のスタンド
２０      パネル
２１      指標用マーク
２２      粘着剤層
２３      剥離フィルム
Ａ、Ｂ    アート作品
【図１】
0003189757.tif 000003
【図２】
0003189757.tif 000004
【図３】
0003189757.tif 000005
【図４】
0003189757.tif 000006
【図５】
0003189757.tif 000007
【図６】
0003189757.tif 000008
【図７】
0003189757.tif 000009